(57)【要約】【課題】デザインレイアウトのイメージが容易に把握され、しかも各々の商品のチラシやカタログなど宣伝広告媒体を各方面に配布した後のその媒体による効果など宣伝広告結果の集計結果等の商品情報を情報量多く、しかも容易に得る事ができるようにするとともに、前回に売り上げの良好であったデザインレイアウトを見落としたりすることなく、従来の実績を次回に有効に活用できることが望まれていた。【解決手段】商品印刷物情報および商品情報を記憶するメモリ部と、画像情報を制御するデータ処理部と、画像情報を送信するサーバとを備え、前記画像情報が印刷物画像と商品情報画像からなるとともに、その画像情報の遷移が、印刷物画像中の商品を選択する事により商品情報画像が表示されることを特徴とする商品情報表示システムを提供する。【選択図】図１
2004178245.tif 000002
【特許請求の範囲】
【請求項１】
ユーザ端末から入力された指示をネットワークを介して受け取り、この指示内容に従って情報データベースに記憶されている商品印刷情報および商品情報を抽出し加工してユーザに送信する商品情報表示システムであって、
商品印刷情報および商品情報を記憶する情報記憶手段と、
ネットワークを経由して受信したユーザ端末からの指示に従って情報データベースに記憶されている商品印刷情報を抽出する抽出手段と、
抽出された商品印刷情報をユーザ端末に送信する送信手段と、
送信した商品印刷情報から商品情報を入手したい商品の印刷画像及び必要とする商品情報の内容の指定を促す商品指定手段と、
ユーザ端末から指定された商品印刷情報に関連する商品情報を抽出する商品情報抽出手段と、
抽出された商品情報をユーザ端末に送信する商品情報送信手段と、
を備えたことを特徴とする商品情報システム。
【請求項２】
請求項１記載の商品情報システムにおいて、この商品情報システムが商品印刷情報の編集機能を兼ね備えていることを特徴とする商品情報表示システム。
【請求項３】
前記商品印刷情報が、市場配布される商品チラシ若しくは商品カタログの商品印刷情報である請求項１または２記載の商品情報表示システム。
【発明の詳細な説明】
【０００１】
【発明の属する技術分野】
本発明は、商品印刷物中の商品の市場での販売価格、販売量等の、商品情報を商品印刷物と関連付けて容易に把握出来る商品情報システムに関する。
【０００２】
【従来の技術】
従来、商品製造販売会社等の商品企画部門において、商品情報を商品印刷物としてのチラシやカタログ等の印刷物として企画立案するに当たっては、その媒体に掲載すべき商品を選択するために、過去の膨大なバックナンバーを参考に、紙面（印刷物）として管理している取り扱い商品一覧マスターファイルより商品シートを抜き出して、印刷所に入稿するための紙面デザイン指定用紙を毎回書き起こしていた。
【０００３】
実際にＤＴＰ（ディスク・トップ・パブリッシング）にてレイアウトされた前記チラシやカタログ等の印刷物の紙面は、定型パターンといえども特に重点的に売り込みたい商品については、コマサイズを縦横５０％刻みで大きくして見せたり、コマの背景に色網伏せをしたり、太罫線で囲んだり、販売促進のためのマークを付したりしてレイアウト上の工夫をこらしたり、あるいは値段の文字サイズを大きくしたり、赤文字反転で強調したりして組版上の工夫をしたりして、限られた紙面内でいかに最大の売り上げ効果をあげるか苦心している。
【０００４】
しかしながら、これら印刷物の紙面作製上での工夫と、それによる実際の販売効果との関連が掴みにくく、また毎回その工夫を思い出して指示しなければいけなかった。
【０００５】
チラシやカタログを各方面に配布してから、実際に注文の申し込みがあった売上情報は、例えば商品販売店の本店企画部などに集積されて、売上分析や次回の紙面作成のための情報データとしてフィードバックするために利用される。
【０００６】
チラシやカタログなど宣伝広告媒体を各方面に配布した後のその媒体による効果など宣伝広告結果の集計には、従来は売上数値などの売上情報に関する管理レポートや、実際のチラシやカタログに赤ペンなどで売上情報などの数値を記入した資料などが使用されることが多く、このような資料を見比べながら状況を分析し、次回の企画立案のための参考情報としている。
【０００７】
チラシやカタログなどの紙面でのコマ割りと呼ばれる商品配置のデザイン作業においても、従来は分野別に担当している企画担当者が、長年の経験と勘によってそれぞれの商品のコマのサイズ、紙面の中での位置、マークの付与などをバックナンバーでのレイアウトやそれぞれの売り上げを朱書きしたものを参考に、手書きで大ラフと呼ぶコマ割り商品配置の指定紙を作成していたために時間が掛かっていた。また、いままで担当していた担当者が他の人に変わると、レイアウト処理において混乱したり、あるいは前回などに売り上げの良好であったデザインレイアウトを見落としたり次回に有効に活かしきれないなどの問題点があった。
【０００８】
そこで、特許文献１においては、チラシやカタログなど宣伝広告媒体を各方面に配布した後のその媒体による効果など宣伝広告結果の集計を容易にできるように、商品の上に販売実績等を重ねて表示する合成配置により、売り上げの良好であったデザインレイアウトを見落としたりすることなく、従来の実績を次回に有効に活用できるようにした。
【０００９】
【特許文献１】
特開平１１−１５３７６号公報
【００１０】
具体的には、その特許文献１記載の第１の発明は、Ａ社に商品企画データ用ソースデータを記憶するメモリ部１と、該ソースデータをデータ処理して商品情報媒体作製用の商品企画データを作製する商品企画データ処理部２と、作製された商品企画データを送信するサーバ３とを備え、Ｂ社に商品情報媒体作製処理用データ及びＡ社より送信されてきた商品企画データなど商品情報媒体作製用データを記憶するメモリ部１１と、該作製用データを入出力処理する作製用データ入出力処理部１２と、該作製用データに基づいてレイアウト編集処理して商品情報媒体データを作製する商品情報媒体データ作製部１３と、送信された商品企画データを受信し且つ該作製用データ及び作製された商品情報媒体データを供給するサーバ１４と、作製された商品情報媒体データに基づいて商品情報媒体を出力処理するカラー出力処理部１５とを備え、前記商品情報媒体作製用データに基づいてレイアウト編集処理して商品情報媒体データを作製し、作製された商品情報媒体データに基づく印刷処理にて商品情報媒体Ｐを作製することを特徴とする商品情報媒体作製システムである。
【００１１】
また、特許文献１記載の第２の発明は、Ａ社に商品企画データ用ソースデータを記憶するメモリ部１と、該ソースデータをデータ処理して商品情報媒体作製用の商品企画データを作製する商品企画データ処理部２と、作製された商品企画データを送信するサーバ３と、顧客から送られてきた商品注文情報を読み取り集計して実績データを作製する実績データ作製部４とを備え、Ｂ社に商品情報媒体作製処理用データ及びＡ社より送信されてきた商品企画データなど商品情報媒体作製用データを記憶するメモリ部１１と、該作製用データを入出力処理する作製用データ入出力処理部１２と、該作製用データに基づいてレイアウト編集処理して商品情報媒体データを作製する商品情報媒体データ作製部１３と、送信された商品企画データを受信し且つ該作製用データ及び作製された商品情報媒体データを供給するサーバ１４と、前記作製された商品情報媒体データに基づいて商品情報媒体を出力処理するカラー出力処理部１５とを備え、前記商品情報媒体データに基づく印刷処理にて商品情報媒体Ｐを作製するとともに、該商品情報媒体中に顧客の商品注文情報を記入するための記入欄又は記入票等の注文手段Ｐ１を設け、Ａ社の前記サーバ３から前記注文手段Ｐ１に記入されている顧客の商品注文情報を実績データ作製部４にて読み取り集計して得られる実績データを送信してＢ社のサーバ１４にて受信し、該サーバ１４にて受信した前記実績データと前記商品情報媒体データとを前記データ入出力処理部１２にて合成編集処理し、配布した前記商品情報媒体の効果を報告するための効果報告データを作製し、該効果報告データに基づいてカラー出力処理部１５にて効果報告情報を出力処理することを特徴とする商品情報媒体効果報告システムである。
【００１２】
さらに、特許文献１記載の第３の発明については、前記印刷処理にて作製される商品情報媒体Ｐが、市場配布される商品チラシ若しくは商品カタログ、又はこれらに付随するＯＣＲ注文帳票である第１の発明記載の商品情報媒体作製システムである。
【００１３】
さらに、特許文献１記載の第４の発明については、前記印刷処理にて作製される商品情報媒体Ｐが、市場配布される商品チラシ若しくは商品カタログ、又はこれらに付随するＯＣＲ注文帳票である第２の発明記載の商品情報媒体効果報告システムである。
【００１４】
しかしながら、この様な方法では、合成配置であるためにデザインレイアウトのイメージが掴めなくなってしまったり、商品の上に販売実績等の情報量を抑える必要があり、グラフでの表示に代表される情報量の多い情報の表示は困難であった。
【００１５】
また、合成配置の為には個々の商品毎に合成位置を指定しないと、適切な位置での表示がなされなかった。
【００１６】
【発明が解決しようとする課題】
本発明は、デザインレイアウトのイメージが容易に把握され、しかも各々の商品のチラシやカタログなど宣伝広告媒体を各方面に配布した後のその媒体による効果など宣伝広告結果の集計結果等の商品情報を情報量多く、しかも容易に得る事ができるようにするとともに、前回に売り上げの良好であったデザインレイアウトを見落としたりすることなく、従来の実績を次回に有効に活用できるようにすることにある。
【００１７】
【課題を解決するための手段】
本発明の第１の発明は、ユーザ端末から入力された指示をネットワークを介して受け取り、この指示内容に従って情報データベースに記憶されている商品印刷情報および商品情報を抽出し加工してユーザに送信する商品情報表示システムであって、
商品印刷情報および商品情報を記憶する情報記憶手段と、
ネットワークを経由して受信したユーザ端末からの指示に従って情報データベースに記憶されている商品印刷情報を抽出する抽出手段と、
抽出された商品印刷情報をユーザ端末に送信する送信手段と、
送信した商品印刷情報から商品情報を入手したい商品の印刷画像及び必要とする商品情報の内容の指定を促す商品指定手段と、
ユーザ端末から指定された商品印刷情報に関連する商品情報を抽出する商品情報抽出手段と、
抽出された商品情報をユーザ端末に送信する商品情報送信手段と、
を備えたことを特徴とする商品情報システムである。
【００１８】
次に本発明の第２の発明は、上記第１の発明において、この商品情報システムが商品印刷情報の編集機能を兼ね備えていることを特徴とする商品情報表示システムである。
【００１９】
また本発明はの第３の発明は、上記第１または第２の発明において、商品印刷情報が、市場配布される商品チラシ若しくは商品カタログの商品印刷情報である商品情報表示システムである。
【００２０】
【発明の実施の形態】
本発明の商品情報システムを、実施の形態に従って以下に詳細に説明する。
【００２１】
まず、本商品情報システムを主に商品情報表示に用いた場合を説明する。
【００２２】
この商品情報表示システムは、図１のシステムブロック図に示すように、バスライン１１上に通信制御装置１２、ＣＰＵ１３、ディスプレイ１４、キーボード１５、外部制御装置１６、メモリ２１が接続されている。
【００２３】
もちろん、他の構成をとるものでも構わない。
【００２４】
また、このとき通信制御装置１２はＷＥＢサーバ３１と繋がっており、このＷＥＢサーバ３１にブラウザ制御言語による表示制御ファイルを常駐させる事によりインターネットやイントラネット等のＮＥＴ（ネットワーク）を通じてユーザ端末へデータ配信が可能となる。
【００２５】
ここで接続要求が電話線、光ファイバ、携帯通信等の通信手段によりアクセス要求がこのＷＥＢサーバ３１にあったときは、適宜配信される仕組みとなっている。
【００２６】
また、このメモリ２１の内部は仮想的に商品印刷物情報ファイル２２、商品情報ファイル２３、システムエリア２４からなっていることにより、情報記憶手段としても働く。本実施の形態では商品印刷情報は実際に印刷されるデータとなるので商品印刷物情報であるが、電子カタログ等の実際に印刷物とならない商品印刷情報である場合でも構わない。
【００２７】
さらに、外部制御装置１６は印刷装置４１と接続しており、この印刷装置によりチラシ、カタログ等の商品印刷物が生産され、後に市場配布するための商品チラシや商品カタログ等の商品情報媒体となるものである。
【００２８】
商品情報ファイル２３には、例えば、顧客に関する情報や、商品番号、商品名、商品販売ルートなど商品に関するマスター情報など商品企画データ作製用の従来使用のソースデータ、及び新企画に関する新規なソースデータ、及びこれらのソースデータに基づいて商品の企画立案を行って決定された従来及び新規の商品企画書（新商品の販売企画書）など商品企画に関するソースデータの他、販売実績など商品印刷物情報の作製に役立つ各種のデータが個別商品と関連付けられてデータベースとして蓄積されて商品情報を形成して収められている。
【００２９】
前記ＣＰＵ１３は、別途図示しない手段により商品企画データを受信、もしくは他の情報より作製するとともに、前記商品印刷物作製用データ及び作製された商品印刷物データを、商品印刷物情報ファイル２２に記憶させたり、あるいは作製された商品印刷物データを後処理手段に供給したりするものである。
【００３０】
前記印刷装置４１は、外部制御装置１６を介して商品印刷物情報ファイル２２内に収められている商品印刷物データに基づいて、商品印刷物を例えばカラー可視情報シートとして出力処理するカラープリンターなどの印刷装置である。
【００３１】
出力された商品印刷物は、最終製品である商品印刷物のサンプルシート（商品印刷物の校正用可視情報シート；校正刷り）として使用するものであるが、場合によっては最終製品である商品印刷物としてそのまま使用できるものであっても構わない。
【００３２】
このようにして、印刷装置４１にて出力された商品印刷物は、印刷物イメージそのまま再現されるものなので、そのまま校正を依頼するものであっても構わないが、高性能印刷結果による校正を欲する場合には別途出力した商品印刷物により最終校正を行うものであっても構わないものである。
【００３３】
図２に示すユーザ端末における画面フローに従って、上記第１の発明の商品情報表示システムの動作順序を以下に説明する。
【００３４】
５１；まず、ＷＥＢサーバ３１に対し、予め定められたＵＲＬを入力、もしくは適宜ブックマーク等の手段によりチラシ画面５２を呼び出す。これが請求項の抽出手段に相当する。
【００３５】
なお、このときセキュリティーなどの関係上、別なメイン頁を作製しておき、暗証番号等の入力後アクセスできる様にしておくのが一般的である。
【００３６】
５２；呼出を受けたＷＥＢサーバ３１は、ネット（インターネット、イントラネット等）に対してチラシ画面の画像情報を送信する。これが、請求項記載の送信手段に相当する。
【００３７】
５３；チラシ画面の中から商品情報を得ようとする商品をクリック等の手段で選択する。
【００３８】
これが、商品指定手段に相当する。
【００３９】
もちろん、このときの商品選択は、クリック以外の手段で選択されるものでも構わない事は当然であるが、クリック対応が一番容易に実現可能である。
【００４０】
５４；選択に対して、子画面を表示し、その中に販売動向等の情報を表示する。
【００４１】
これが、請求項記載の商品情報送信手段に相当する。
【００４２】
この様に、本発明の商品情報画像は、いわゆるベクトル画像やラスター画像の様な画像の他、文字情報をある子画像に表示する様な場合を含めて商品情報画像と本出願では称している。
【００４３】
また、子画面は、主画面に付属しているという意味で子画面と称しているのであるから、主画面より大きな子画面であっても構わないものである。
【００４４】
５５；ここでキャンセルを指定すれば、子画面が消滅し、チラシ画面のみが表示される。
【００４５】
必要に応じて、最小化表示により一時隠す等の処置は適当になすべき事も可能である。
【００４６】
次に、商品情報システムを、印刷物編集を兼ねさせた場合につき実施の形態に従って以下に詳細に説明する。
【００４７】
この商品印刷物編集システムは、図３のシステムブロック図に示すように、大きくデータ用端末１０２と、ユーザ端末として働く編集用端末１０１からなっている。
【００４８】
もちろん、ユーザ端末は表示手段と指示手段があるものならば別な端末でも構わない。
【００４９】
そして、そのデータ用端末１０２とその編集用端末１０３との間を、各種通信回線１０１によるインターネット、イントラネット等により連結されている。
【００５０】
なお、先に述べた実施の形態の説明の様に、外部制御装置が印刷装置と接続しており、この印刷装置によりチラシ、カタログ等の商品印刷物が生産され、後に市場配布するための商品チラシや商品カタログ等の商品情報媒体となるものであっても構わない。
【００５１】
そして、データ用端末１０２は、メモリ１２０、ＣＰＵ１１１、ディスプレイ１１２、キーボード１１３、通信制御装置１１４がバスライン１１０を介して接続されている。
【００５２】
この場合、編集用端末は複数の汎用端末、特にブラウザにより画面表示ができ、しかも編集等が行えるようなものであれば以下に説明する様な端末であるものに限らないし、同時に複数の端末が個別に編集動作を行うものであっても構わない。
【００５３】
この中でメモリ１２０は、商品情報、商品印刷物情報１２１、システムエリア１２４から仮想的に分かれており、この中の商品情報は、商品案内情報１２３と商品分析情報１２２とに分かれている。
【００５４】
もちろん、商品情報としては、商品案内情報、商品分析情報の片方または両方でも構わないし、さらに商品印刷物作成に役立つ別な各種商品情報を含むものであっても構わない。
【００５５】
また、通信制御装置１１４は、ＷＥＢサーバ１３０を介して通信回線１０１と繋がっており、これを介する事によりインターネット等に情報の授受が、ＨＴＭＬ、ＸＭＬ等のブラウザ言語を用いて可能になっており、接続要求があったときに所用のデータを供給する仕組みになっている。
【００５６】
他方、編集用端末１０３は、メモリ１５２、ＣＰＵ１５１、ディスプレイ１５４、キーボード１５３、通信制御装置１５５がバスライン１５０を介して接続されている。
【００５７】
その通信制御装置１１４は、通信回線１０１と繋がっており、これを介してインターネット等に情報の授受が可能になっており、データ用端末ともこれにより適宜交信可能となっている。
【００５８】
次に、編集用端末１０３においての編集操作につき、図４を用いて以下説明する。
【００５９】
編集開始２０１がなされると、まず商品選択２０２を行う。このとき、商品毎に商品を選択することで商品情報子画面を商品情報表示２０３する事が可能で、その商品の情報等の状況を勘案して掲載すべき商品が選択される。
【００６０】
このとき、子画面を消去すればもとの画面になる。
【００６１】
その様な商品選択がなされると、選択された商品につき画像が表示され、この画像表示２０４がなされる。このときも、商品画像を選択することでその商品の商品情報子画面を商品情報表示２０５する事が可能で、その商品の情報等の状況を勘案して編集方針が検討される。
【００６２】
このとき、子画面を消去すればもとの画面になる。
【００６３】
その様な商品選択がなされると、選択された商品につき画像が表示され、この画像表示を用いて適宜レイアウト編集２０６が可能となる。
【００６４】
このときも、編集途中の商品画像を選択することでその商品の商品情報子画面を商品情報表示２０７する事が可能で、その商品の情報等の状況を勘案して画像や文字の制作や、彩色、デザイン等の処理、レイアウト処理などを行って商品印刷物情報を作製編集することが可能である。
【００６５】
このとき、子画面を消去すればもとの画面になる。
【００６６】
その様な編集が終わると、データ用端末１０２に対して商品印刷物情報を送信２０８して編集作業を終わる。
【００６７】
その商品印刷物情報を受け取ったデータ用端末１０２は、それを商品印刷物情報ファイル１２１に格納する。
【００６８】
データ用端末１０２は、商品印刷物情報１２２や、その他の情報をもとにグラフ化等の手段により編集に役立つ様に見やすくする編集を予め行っておき、それを商品分析情報１２２として別途用意しておき、編集用端末１０３に提供できる。
【００６９】
このときのレイアウト編集時の表示につきさらに詳細に説明する。
【００７０】
２５１；まず、ＷＥＢサーバに対し、予め定められたＵＲＬを入力、もしくは適宜ブックマーク等の手段により編集画面２５２を呼び出す。
【００７１】
なお、このときセキュリティーなどの関係上、別なメイン頁を作製しておき、暗証番号等の入力後アクセスできる様にしておくのが一般的である。
【００７２】
２５２；呼出を受けたＷＥＢサーバは、ネット（インターネット、イントラネット等）に対して編集画面の画像情報を送信する。
【００７３】
２５３；編集画面の中から商品分析情報を得ようとする商品をクリック等の手段で選択する。
【００７４】
２５４；選択に対して、商品分析情報子画面を表示し、その中に販売動向等の情報を表示する。
【００７５】
２５５；ここでキャンセルを指定すれば、商品分析子画面が消滅し、編集画面のみが表示される。
【００７６】
編集が完了したと認識すれば、データ用端末に送信する。
【００７７】
【実施例】
インターネット上に、データ用端末が、ＷＥＢサーバを介して接続されている。
【００７８】
編集用端末では、ネットスケープナビゲーター（ネットスケープ社製、製品名）や、インターネットエクスプローラ（マイクロソフト社製、役務名）上にて掲載商品レイアウトを編集する。
【００７９】
このとき、ＰＤＦｌｉｂ（ＴｈｏｍａｓＭｅｒｚ氏製、役務名）の中の画像関数群を用いて、その中の商品画像をクリックすると、リンクが形成され、対応した情報である商品販売動向がサブ画面として表示される。
【００８０】
その具体的動作は上記発明の実施の形態記載の通りである。
【００８１】
この様に、出来上がった編集結果は、リナックス（Ｌｉｎｕｓ  ｔｏｒｖａｌｄｓ作製  役務名）上であっても、マックＯＳ（マッキントッシュ社製、商品名）、ウインドウズ（マイクロソフト社製、役務名）上であっても、ＯＳに関係なく正常動作させる事ができ、編集も容易である。
【００８２】
この編集は、ＨＴＭＬやＸＭＬで構成したり、別の各種言語で形成するものであっても画像と直接リンクを定めるだけなら構わないが、チラシ等の掲載商品の編集結果をＰＤＦ、例えばアクロバット（アドビ社製、製品名）を用いるとチラシのデザインの再現が容易であるので、そのために使用されるものでも良い。
【００８３】
【発明の効果】
本発明の商品情報システムは、チラシやカタログなど宣伝広告媒体を市場の各方面に配布した後において、その媒体を用いた宣伝広告による商品の注文販売数量など媒体による効果を、効果報告書としてその媒体のレイアウト紙面上にシート情報若しくはＣＲＴ画面などによるディスプレイ情報としてわかり易く容易に表示することができる。
【００８４】
また、前回に売り上げの良好であった商品印刷物のデザインレイアウトを見落としたりすることなく、従来の実績を次回に有効に活用できるなどの効果がある。
【図面の簡単な説明】
【図１】第１の発明に係る実施の形態の商品情報表示システムのシステムブロック図。
【図２】第１の発明に係る実施の形態の商品情報表示システム又は第２の発明の商品印刷物商品情報表示システムのシステムフローチャート。
【図３】第２の発明に係る実施の形態の商品印刷物商品情報表示システムのシステムブロック図。
【図４】第２の発明に係る実施の形態の商品印刷物商品情報表示システムの編集時におけるシステムフローチャート。
【図５】第２の発明に係る実施の形態の商品印刷物商品情報表示システムのレイアウト編集工程におけるシステムフローチャート。
【符号の説明】
１１…バスライン
１２…通信制御装置
１３…ＣＰＵ
１４…ディスプレイ
１５…キーボード
１６…外部制御装置
２１…メモリ
２２…商品印刷物情報
２３…商品情報
２４…システムエリア
３１…ＷＥＢサーバ
４１…印刷装置
５１、５３、５５…操作
５２、５４…画面
１０１…ＮＥＴ
１０２…データ用端末
１０３…編集用端末
１１０、１５０…バスライン
１１１、１５１…ＣＰＵ
１１２、１５４…ディスプレイ
１１３、１５３…キーボード
１１４、１５５…通信制御装置
１２０、１５２…メモリ
１２１…商品印刷物情報
１２２…商品分析情報
１２３…商品案内情報
１３０…システムエリア
１５０…編集用端末
２０１、２０８…操作
２０２、２０４、２０６…操作画面
２０３、２０５、２０７…子画面
２５２、２５４…画面
２５１、２５３、２５５…操作
２５２、２５４…画面
【図１】
2004178245.tif 000003
【図２】
2004178245.tif 000004
【図３】
2004178245.tif 000005
【図４】
2004178245.tif 000006
【図５】
2004178245.tif 000007